(57)【特許請求の範囲】
【請求項１】
少なくとも、上辺部材、下辺部材、左辺部材および右辺部材を備える本体枠と、
前記本体枠の一側に開閉可能に設けられ、遊技盤が取り付けられる前面枠と、
を備えた遊技機において、
前記前面枠は、本体枠に対して閉止された閉状態において所定の離隔空部を介して上辺部材下面と相対する上枠部を備え、
前記上枠部上面には、上方に所定高さ突出し、前面枠が上方側へ移動した場合に、前記上辺部材下面と当接して、それ以上に前面枠が上方へ移動することを阻止する上方移動阻止部と、該上方移動阻止部よりも下方位置に設けられる後方開口の配線収容凹部と、を備える上方移動阻止部材を複数設け、
前記前面枠の適所に形成した配線処理部材取付部へ取り付けることで、配線を保持する配線処理部材を前記上方移動阻止部材の側方に取り付け、
前記配線処理部材により、前記上方移動阻止部材の配線収容凹部に収容されつつ引き出された電気部品の配線を保持するようにしたことを特徴とする遊技機。
【請求項２】
前記前面枠は、上枠部の前端から上方へ延出する前壁部を備え、
前記上方移動阻止部材は、前記前壁部から後方に向かって延設されるとともに、前記上方移動阻止部には、後方に向けて下り傾斜するガイド部を形成したことを特徴とする請求項１に記載の遊技機。
【請求項３】
前記配線処理部材は、衝撃を吸収可能な弾性部材により形成するとともに、その最上部の高さが前記上方移動阻止部材の上方移動阻止部形成位置より高く、且つ、前記上辺部材下面よりも低くなるように設定したことを特徴とする請求項１又は請求項２に記載の遊技機。
【発明の詳細な説明】
【技術分野】
【０００１】
本発明は、少なくとも、上辺部材、下辺部材、左辺部材および右辺部材を備える本体枠と、前記本体枠の一側に開閉可能に設けられ、遊技盤が取り付けられる前面枠と、を備えた遊技機に関する。
【背景技術】
【０００２】
従来より、遊技機の前面側には、装飾用ランプやスピーカ等の電気部品が分散配置されており、これらの電気部品は前面枠（本体枠の一側に開閉可能に軸支され、遊技進行動作に必要な種々の機構や制御装置等を収容保持する枠体）に設けられている。これら電気部品の給電線や信号線などは、本体枠から前面枠を開放したときに邪魔にならないよう軸着側へ集約して処理されることが多い。しかし、各電気部品からの配線を各々個別に処理していたのでは効率が良いとは言えないので、例えば、前面枠上部に設ける複数のランプを単一の本体ベースへ複数形成したレンズ収容空間に各々収容することでユニット化した前面枠表示装置も提案されている（例えば、特許文献１を参照）。
【０００３】
【特許文献１】特開平６−４７１６５号公報
【発明の開示】
【発明が解決しようとする課題】
【０００４】
しかしながら、上記特許文献１に記載の前面枠表示装置においては、前面枠へ取り付ける際の配線処理は簡易になるものの、前面枠表示装置を組み立てるときには、やはり各ランプの配線を本体ベース内に配置したり結線したりしなければならず、本質的な解決になっていない。
【０００５】
また、近来の遊技機には大型の表示装置が設けられるために、前面枠裏面側に大型の部品を搭載しなければならず、遊技機における後方突出量が大きくなってしまう。そこで、出荷時等にトラックなどで遊技機を運送する場合には、積載容量の限られたトラックに多くの遊技機を効率良く積載するために、通常の上向きの遊技機と逆の下向きの遊技機を交互に並べ、積載効率を高めるような搬送方法が採られている。
【０００６】
しかしながら、遊技機の前面枠は、本体枠への着脱が容易なように、前面枠の軸着部を本体枠の軸着部へ上方から落とし込むような構造が採用されているため、遊技機を逆向きにしたとき、本体枠から前面枠が滑り落ちて外れてしまうという不具合がある。しかも、前面枠の上部には種々の配線が配置されているため、逆さまに積載されたときに外れた前面枠と本体枠との間に配線が挟まれて断線してしまう危険性もある。
【０００７】
そこで、本発明は、前面枠の裏面側上部における配線処理を効率良く迅速に行うことができると共に、前面枠が本体枠から外れることを阻止できる構造の遊技機を提供することを目的とする。
【課題を解決するための手段】
【０００８】
上記の課題を解決するために、請求項１に係る発明は、少なくとも、上辺部材、下辺部材、左辺部材および右辺部材を備える本体枠と、前記本体枠の一側に開閉可能に設けられ、遊技盤が取り付けられる前面枠と、を備えた遊技機において、前記前面枠は、本体枠に対して閉止された閉状態において所定の離隔空部を介して上辺部材下面と相対する上枠部を備え、前記上枠部上面には、上方に所定高さ突出し、前面枠が上方側へ移動した場合に、前記上辺部材下面と当接して、それ以上に前面枠が上方へ移動することを阻止する上方移動阻止部と、該上方移動阻止部よりも下方位置に設けられる後方開口の配線収容凹部と、を備える上方移動阻止部材を複数設け、前記前面枠の適所に形成した配線処理部材取付部へ取り付けることで、配線を保持する配線処理部材を前記上方移動阻止部材の側方に取り付け、前記配線処理部材により、前記上方移動阻止部材の配線収容凹部に収容されつつ引き出された電気部品の配線を保持するようにしたことを特徴とする。
【０００９】
また、請求項２に係る発明は、前記請求項１に記載の遊技機において、前記前面枠は、上枠部の前端から上方へ延出する前壁部を備え、前記上方移動阻止部材は、前記前壁部から後方に向かって延設されるとともに、前記上方移動阻止部には、後方に向けて下り傾斜するガイド部を形成したことを特徴とする。
【００１０】
また、請求項３に係る発明は、前記請求項１又は請求項２に記載の発明において、前記配線処理部材は、衝撃を吸収可能な弾性部材により形成するとともに、その最上部の高さが前記上方移動阻止部材の上方移動阻止部形成位置より高く、且つ、前記上辺部材下面よりも低くなるように設定したことを特徴とする。
【発明の効果】
【００１１】
請求項１に係る遊技機によれば、前記前面枠は、本体枠に対して閉止された閉状態において所定の離隔空部を介して上辺部材下面と相対する上枠部を備え、前記上枠部上面には、上方に所定高さ突出し、前面枠が上方側へ移動した場合に、前記上辺部材下面と当接して、それ以上に前面枠が上方へ移動することを阻止する上方移動阻止部と、該上方移動阻止部よりも下方位置に設けられる後方開口の配線収容凹部と、を備える上方移動阻止部材を複数設け、前記前面枠の適所に形成した配線処理部材取付部へ取り付けることで、配線を保持する配線処理部材を前記上方移動阻止部材の側方に取り付け、前記配線処理部材により、前記上方移動阻止部材の配線収容凹部に収容されつつ引き出された電気部品の配線を保持するようにしたので、前面枠の上枠部上面に設けた上方移動阻止部材の配線収容凹部を用いて電気部品の配線を収容しつつ側方へ容易に引き出すことができ、しかも、配線処理部材を前面枠に設けた配線処理部材取付部に取り付けるだけで、配線を良好に保持でき、前面枠の裏面側上部における配線処理作業を効率良く迅速に行うことができる。加えて、配線処理に使う上方移動阻止部材には、配線収容凹部よりも上方位置に上方移動阻止部を設けてあるので、遊技機が逆さまにされて前面枠が外れそうになる等して、本体枠の上辺部材下面と前面枠の上枠部上面との離隔空部が狭まっても、上方移動阻止部が本体枠の上辺部材下面に突き当たることで、前面枠が本体枠から外れることを阻止できるし、電気部品の配線が潰されて断線することも防げる。
【００１２】
また、請求項２に係る遊技機によれば、前記前面枠は、上枠部の前端から上方へ延出する前壁部を備え、前記上方移動阻止部材は、前記前壁部から後方に向かって延設されるとともに、前記上方移動阻止部には、後方に向けて下り傾斜するガイド部を形成したので、前面枠の上枠部と前壁部の両方に連なる上方移動阻止部材の強度を高めることができ、大型の表示装置を搭載することで重量増加の著しい昨今の遊技盤を備える前面枠を装着した前面枠であっても、上方移動阻止部材が破損することを防止できる。さらに、本体枠内へ挿入される前面枠の上枠部上面から最も突出した位置となる上方移動阻止部にガイド部を形成することで、本体枠の上辺中央部が垂れてきて本体枠の上辺部材下面と前面枠の上枠部上面との離隔空部が狭まった場合にも、本体枠に対する前面枠の開閉をスムーズに行うことができる。
【００１３】
また、請求項３に係る遊技機によれば、前記配線処理部材は、衝撃を吸収可能な弾性部材により形成するとともに、その最上部の高さが前記上方移動阻止部材の上方移動阻止部形成位置より高く、且つ、前記上辺部材下面よりも低くなるように設定したので、搬送用トラックに積載するために遊技機を逆さにした場合など、本体枠から前面枠が抜け落ちそうになったとき、十分な強度を得るために硬質素材で形成される上方移動阻止部材の上方移動阻止部が本体枠の上辺部材に押し当たる前に、先ず、弾性部材により形成した配線処理部材が本体枠の上辺部材に押し当たって衝撃を吸収するので、前面枠に強い衝撃が作用して故障の原因となるような事態を効果的に回避できる。
【発明を実施するための最良の形態】
【００１４】
次に、本発明に係る遊技機の実施形態を添付図面に基づき詳細に説明する。
【００１５】
図１に示すのは、弾球遊技を行える遊技機１の前面側俯瞰斜視図である。本実施形態として示す遊技機１には遊技に関連した各種機能（後に詳述）を付加し、遊技機１の一側方には、プリペイドカード（所定の金額で予め販売される弾球遊技用のカードであって、通貨と等価な有価データを記憶させたものをいう）の使用を可能ならしめるカード制御機能や球貸制御機能等を付加した球貸ユニット（図示を省略）を設け、球貸ユニットで借り受けた遊技球を用いて遊技機１で遊技を行えるようにした。なお、球貸ユニットが備える機能の全部もしくは一部を遊技機１に付加し、遊技機１から遊技球を貸し出すようにしても良い。
【００１６】
遊技機１は、額縁状の本体枠２の前面側に各種の遊技機能部が設けられた前面枠３を開閉可能に設け、該前面枠３の前面側に透明部材保持枠４と上皿ユニット５を各々開閉可能に設けた。なお、前面枠３に回動可能に取り付けられる透明部材保持枠４および上皿ユニット５の軸着側も、前面枠３の軸着側（遊技機１の正面に向かって左側）と一致させ、前面枠３，透明部材保持枠４，上皿ユニット５を開放したときに本体枠２に掛かる重量負荷を一側に集中させるものとした。
【００１７】
前記透明部材保持枠４は、透明なガラスや硬質合成樹脂等よりなる透明部材４ａを保持するもので、この透明部材４ａを通して、その背面側に装着された遊技盤６の遊技領域６ａが遊技者から視認可能となる（透明部材保持枠４を開放した状態の図２を参照）。また、透明部材保持枠４の適所には、発光演出や報知動作等に用いる装飾部材を設けてある。
【００１８】
前記遊技盤６の遊技領域６ａは、区画部材７によって区画された略円形状の領域で、上皿ユニット５の上皿貯留部５１に貯留された遊技球が１個宛て供給される発射ユニット（図示を省略）により弾発された発射球が発射球導入路を介して導入される領域である。なお、図２では省略したが、この遊技領域６ａには、遊技球の流下状態に変化を与える障害釘が植設されると共に、変動表示ゲームを行うための変動表示装置や球の入賞状態が変化する変動入賞装置といった大型の遊技装置のほか、種々の入賞口等が配置される。
【００１９】
また、上皿ユニット５の下方に位置するよう前面枠３の下部に設ける下皿ユニット６には、上皿ユニット５の上皿貯留部５１が満杯になってオーバーフローした遊技球を貯留可能な下皿貯留部６１、発射操作を遊技者が行うための発射操作ハンドル６２、等を設けてある。
【００２０】
上述した前面枠３を開閉自在に収容する本体枠２は、例えば、木製板材からなる上辺部材２１、下辺部材２２および左辺部材２３、例えば、金属板を加工して形成した右辺部材２４、閉状態の前面枠３の下部を支持する下部前面部材２５を備える。なお、前面枠３を軸支する軸着部は、左辺部材２３の上部および下部に各々設けてあり、本体枠２の軸着部に対して前面枠３の軸着部を上方から落とし込むようにして取り付ける構造とした。
【００２１】
このように、上辺部材２１，左辺部材２３，右辺部材２４，下部前面部材２５により本体枠２に形成した前後方向に貫通する収容空部に収容される前面枠３は、前面側に透明部材保持枠４，上皿パネル５，下皿パネル６が突出した状態になり、また裏面側上部には、図３に示すように、島設備から補給される遊技球を受入れる上部貯留タンク７１、この上部貯留タンク７１に貯留されている遊技球を整列させて下流側へ案内する整列樋７２、この整列樋７２の下流側に接続される球排出装置７３等の裏機構が設けられると共に、遊技盤６に設けられた表示装置やカバー部材等が後方に大きく突出した状態となる。
【００２２】
また、前面枠３は、遊技盤６を収容して保持する枠構造であり、図４に示すように、上部枠３１，左部枠３２，右部枠３３および重量のある遊技盤６の下縁部を支持する遊技盤支持部材（図示を省略）を有する。また、上部枠３１の前端には上方へ延出する上側前壁部３４を、左部枠３２の前端から左側方へ延出する左側前壁部３５を、右部枠３３の前端から右側方へ延出する右側前壁部３６を各々設け、本体枠２に対して前面枠を閉止すると、前面枠３の上側前壁部３４の後端が本体枠２の上辺部材２１の前端に当接若しくは近接すると共に上枠部３１の上面と上辺部材２１の下面とが所定の離隔空部を介して相対し、前面枠３の左側前壁部３５の後端が本体枠２の左辺部材２３の前端に当接若しくは近接すると共に左枠部３２の左側面と左辺部材２３の右側面とが所定の離隔空部を介して相対し、前面枠３の右側前壁部３６の後端が本体枠２の右辺部材２４の前端に当接若しくは近接すると共に右枠部３３の右側面と右辺部材２４の左側面とが所定の離隔空部を介して相対する。
【００２３】
しかして、本実施形態に係る遊技機１においては、上枠部３１の上面と上辺部材２１の下面とに生ずる離隔空部内を使って電気部品の配線処理を行うものとした。電気部品としては、装飾用のランプ・ＬＥＤや各種センサなど、特に限定されるものではないが、電気部品の一例として、以下では、前面枠３に対して透明部材保持枠４が開放された開放状態と閉止された閉止状態とを検出可能な検出器である透明部材保持枠開放センサ８の配線処理を行う例を説明する。
【００２４】
透明部材保持枠開放センサ８は、センサ取付部材７４に保持された状態で前面枠３に設けたセンサ収容部３７へ挿入されると、センサ取付部材７４の左右両側に各々形成した係止部７４ａ，７４ａがセンサ収容部３７に設けた係止受け部（図示を省略）に係止され、透明部材保持枠開放センサ８の配線８ａがセンサ取付部材７４の配線導出部７４ｂから導出された状態で安定的に固定保持される（図３に示す状態）。
【００２５】
なお、透明部材保持枠センサ８が前面枠３へ適正に取り付けられると、前面枠３における上側前壁部３４の前面側に状態検出部８ｂが突出した状態となり（図２を参照）、透明部材保持枠４が閉止されると、この状態検出部８ｂが後方へ押圧されるので、透明部材保持枠４の閉止状態を検出でき、逆に、透明部材保持枠４が開放されると、状態検出部８ｂに対する押圧力が消失して前方へ突出する状態となるので、透明部材保持枠４の開放状態を検出できる。
【００２６】
上記のようにして前面枠３に取り付けた透明部材保持枠開放センサ８の配線８ａは、配線処理部材９を、センサ収容部３７の左側近傍に形成した第１配線処理部材取付部３８ａと、該第１配線処理部材取付部３８ａから右側方（軸着側）へ離隔した上部枠３１の左側端部近傍に形成した第２配線処理部材取付部３８ｂへ取り付けることで保持されると共に、第１配線処理部材取付部３８ａと第２配線処理部材取付部３８ｂとの間における上枠部３１には、上面３１ａから上方に突出する複数の上方移動阻止部材１０…を適宜な間隔で配置しておき、これら上方移動阻止部材１０によって配線８ａを適宜収容しておく構造とした。
【００２７】
なお、本構成例にて示す上方移動阻止部材１０は、上側前壁部３４の後端が後方に突出した後方突出壁３４から後方に向って延出する第１〜第５上方移動阻止部材１０ａ〜１０ｅと、上側前壁部３４の後端が前方に位置する前壁３４ｂから後方に向って長く延出する第６，第７上方移動阻止部材１０ｆ，１０ｇとに大きく分けられるが、どちらも、上方に突出する所定高さの上方移動阻止部１０１と、該上方移動阻止部１０１よりも下方位置に設けられる後方開口の配線収容凹部１０２を備えるものである。
【００２８】
次に、配線処理部材９につき説明する。図５は、配線処理部材９の斜視図であり、第１配線処理部材取付部３８ａと第２配線処理部材取付部３８ｂのどちらにも取り付けられるものである。なお、配線処理部材９は、前面枠３の後方から第１，第２配線処理部材取付部３８ａ，３８ｂへ挿入して取り付けるものであるから、この取付時の状態を基準とすれば、図５の配線処理部材９は前面側の斜視図である。また、本体枠２に閉止した前面枠３の上部背面を示す図６におけるＡ−Ａ線（第１配線処理部材取付部３８ａの適所における鉛直方向の破断線）断面は、図７（ａ）に示す。
【００２９】
配線処理部材９は、例えば、可撓性と適宜な復元力を有するように合成樹脂等で形成したもので、遊技者が取付操作を行うときに掴んだり摘んだりする横長平板状の操作部９１を備え、該操作部９１の前面側から上下両方向に延出する基壁部９２の上端左右両側と下端左右両側から各々前側へ延出する上部係止片９３，９３と下部係止片９４，９４を各々設け、上部係止片９３，９３の各上面には前端から後方に向けて上方への突出量が増加する係止爪９３ａを、下部係止片９４，９４の各下面には前端から後方に向けて下方への突出量が増加する係止爪９４ａを各々設ける。
【００３０】
そして、この配線処理部材９を配線処理部材取付部３８ａ、３８ｂへ後方から前端壁部３８１に向けて押圧挿入すると、上部係止片９３の係止爪９３ａが配線処理部材取付部３８ａ，３８ｂの上側係止受け部３８２に当たって、係止爪９３ａ，９３ａの傾斜に沿って上部係止片９３，９３の前端が下方へ押し込まれてゆくと共に、下部係止片９４の係止爪９４ａが配線処理部材取付部３８ａ，３８ｂの下側係止受け部３８３に当たって、係止爪９４ａ，９４ａの傾斜に沿って上部係止片９３，９３の前端が上方へ押し上げられてゆき、配線処理部材取付部３８ａ、３８ｂの前端壁部３８１に上下部係止片９３，９４の前端が概ね当接する位置まで押し込まれたとき、上部係止片９３，９３の各係止爪９３ａが上側係止受け部３８２の前端を越えると共に下部係止片９４，９４の各係止爪９４ａが下側係止受け部３８３の前端を越える。
【００３１】
このとき、上部係止片９３，９３は自信の復元力で前端を上方位置へ戻すので、係止爪９３ａが配線処理部材取付部３８ａ，３８ｂの上側係止受け部３８２の前端に係止され、また、下部係止片９４，９４は自信の復元力で前端を下方位置へ戻すので、係止爪９４ａが配線処理部材取付部３８ａ、３８ｂの下側係止受け部３８３の前端に係止される。すなわち、配線処理部材９を配線処理部材取付部３８ａ、３８ｂへ後方から前端壁部３８１に向けて押圧挿入するという簡易な操作で、配線処理部材９を定位置に安定保持することができる。また、上部係止片９３、９３と下部係止片９４，９４との間には、透明部材保持枠開放センサ８の配線８ａを導入可能な配線規制空部９ａが形成されるので、この配線規制空部９ａ内に配線８ａを導入した状態で配線処理部材９を配線処理部材取付部３８ａ，３８ｂへ取り付けると、配線規制空部９ａの後方に基壁部９２が位置するので、配線８ａが配線規制空部９ａから抜け出すことの無いように、位置規制した配線保持を実現できる。
【００３２】
さらに、配線処理部材９における上部係止片９３，９３の間には後方に延出する配線ガイド支持部９５を設け、この配線ガイド支持部９５の下面から下方に延出する配線ガイド部９６を設ける。この、配線ガイド部９６の前端は、基壁部９２よりも適宜前方（例えば、上部係止片９３の係止爪９３ａ後端よりは前方で、下部係止片９４の係止爪９４ａの後端よりは後方となる部位）まで延出させておき、配線ガイド部９６の下端は、下部係止片９４，９４の間まで延出させておく。斯くすれば、配線規制空部９ａ内に配線８ａを導入した状態で配線処理部材９を配線処理部材取付部３８ａ、３８ｂへ取り付けると、配線処理部材取付部３８ａ、３８ｂの後方開口から配線規制空部９ａ内へ導入された配線８ａは、配線ガイド部９６の前端によって前側に押圧され、この配線ガイド部９６の前端を越えると、再び配線処理部材取付部３８ａ、３８ｂの後方開口へ向うように、略Ｖ字状に屈曲さた状態で保持でき、配線処理部材９によって保持された配線８ａが左右方向へ移動することの無いように、一層安定した配線保持を実現できる。
【００３３】
次に、第１〜第５上方移動阻止部材１０ａ〜１０ｅおよび第６，第７上方移動阻止部材１０ｆ，１０ｇにつき説明する。図６におけるＢ−Ｂ線（第２上方移動阻止部材１０ｂの略中央における鉛直方向の破断線）断面は図７（ｂ）に、図６におけるＣ−Ｃ線（第６上方移動阻止部材１０ｆの略中央における鉛直方向の破断線）断面は図７（ｃ）に、各々示す。
【００３４】
第１〜第７上方移動阻止部材１０ａ〜１０ｇは、何れも、上枠部３１の上面３１ａの上面から突出する板状体より構成したもので、その上部に形成した上方移動阻止部１０１…の高さは、全て左右方向でほぼ一定となるように設定し、本体枠２に閉止した前面枠３を上方（軸着部を外す方向）へ移動させると、第１〜第７上方移動阻止部材１０ａ〜１０ｇの各上方移動阻止部１０１…がほぼ同時に本体枠２における上辺部材２１の下面２１ａに当接するようにした。すなわち、遊技機１が逆さまにされて前面枠３が軸着部から外れそうになって、本体枠２の上辺部材２１の下面２１ａと前面枠３の上枠部３１の上面３１ａとの離隔空部が狭まっても、第１〜第７上方移動阻止部材１０ａ〜１０ｇの各上方移動阻止部１０１が上辺部材２１の下面２１ａに突き当たって、それ以上は前面枠３が下方（逆さまにされた遊技機１における上方）へ移動することはないので、本体枠２から前面枠３が外れてしまうような不具合を回避できる。
【００３５】
なお、本構成例の第１〜第７上方移動阻止部材１０ａ〜１０ｇにおいては、各上方移動阻止部１０１…が最上部となるように構成したが、これに限定されるものではなく、本体枠２の上辺部材２１の下面２１ａと前面枠３の上枠部３１の上面３１ａとの離隔空部が狭まったときに、最初に上辺部材２１の下面２１ａへ突き当たるように上方移動阻止部１０１…が形成されていればよい。例えば、図７（ｃ）に一点鎖線で示すような上方移動ガイド部１０３を第６，第７上方移動阻止部材１０ｆ，１０ｇに各々形成し、この上方移動ガイド部１０３に沿って前面枠３が上方へ移動すると、第６，第７上方移動阻止部材１０ｆ，１０ｇの各上部移動阻止部１０１，１０１が上辺部材２１の下面２１ａに突き当たるような構造としても構わない。また、第１〜第７上方移動阻止部材１０ａ〜１０ｇは、板状の突出部として形成せずに、上方移動阻止部１０１の面積が広くなるように左右方向の幅が広い厚肉状の部材としても良い。
【００３６】
一方、第１〜第７上方移動阻止部材１０ａ〜１０ｇに各々形成した配線収容凹部１０２の奥行（前方側の端部）は、全て左右方向でほぼ一定となるように設定し、第１〜第７上方移動阻止部材１０ａ〜１０ｇの各配線収容凹部１０２…の最奥部（前側端部）へ押し当てるように配線８ａを収容して行くと、第１〜第７上方移動阻止部材１０ａ〜１０ｇの各配線収容凹部１０２…によって配線８ａをほぼ横一直線状に軸着側へ導くことができ、この状態で配線８ａの軸着側を配線処理部材１０に導入して第２配線処理部材取付部３８ｂへ取り付けると、配線８ａが第１〜第７上方移動阻止部材１０ａ〜１０ｇの各配線収容凹部１０２から抜け出すことが無く、配線８ａを安定して収容することができる。
【００３７】
しかも、本構成例の第１〜第７上方移動阻止部材１０ａ〜１０ｇにおける各配線収容凹部１０２…は、導入口が後方に開放すると共に、各配線収容凹部１０２…の下部は上枠部３１の上面３１ａが兼ねるものとしたので、配線８ａを上枠部３１の上面３１ａに沿わせるようにして前方へ押し込んで行くだけで、第１〜第７上方移動阻止部材１０ａ〜１０ｇにおける各配線収容凹部１０２…へ配線８ａを収容して行くことができ、配線処理を一層簡易に行うことができる。
【００３８】
更に、第１〜第７上方移動阻止部材１０ａ〜１０ｇの各上方移動阻止部１０１…の後端部には、後方に向けて下り傾斜する挿入ガイド部１０１ａを形成し、本体枠２内へ挿入される前面枠３の上枠部３１上面３１ａから最も突出した位置となる第１〜第７上方移動阻止部材１０ａ〜１０ｇの各上方移動阻止部１０１…に挿入ガイド部１０１ａ…を各々形成することで、本体枠２の上辺部材２１中央部が垂れてきて本体枠２の上辺部材２１の下面２１ａと前面枠３の上枠部３１上面３１ａとの離隔空部が狭まった場合にも、本体枠２に対する前面枠３の開閉をスムーズに行えるようにした。
【００３９】
なお、本構成例の第１〜第７上方移動阻止部材１０ａ〜１０ｇにおいては、上側前壁部３４の後方突出壁３４ａ或いは前壁３４ｂから後方に向かって延設される構造、すなわち、前面枠３の上枠部３１と上側前壁部３４の両方に連なるように第１〜第７上方移動阻止部材１０ａ〜１０ｇを形成することで、第１〜第７上方移動阻止部材１０ａ〜１０ｇの強度を高め、大型の表示装置を搭載することで重量が増加している昨今の遊技盤６を搭載した前面枠３であっても、第１〜第７上方移動阻止部材１０ａ〜１０ｇが破損して、配線収容凹部１０２…に収容した配線８ａが潰されて断線してしまうことのない十分な強度を確保するものとしたが、必要十分な強度を確保できれば、第１〜第７上方移動阻止部材１０ａ〜１０ｇを、上側前壁部３４から後方に適宜離隔させた位置で、上部枠３１の上面３１ａから突出させる構造としても構わない。
【００４０】
また、本構成例における第１〜第７上方移動阻止部材１０ａ〜１０ｇの各上方移動阻止部１０１…は、前方から後方に向って緩やかに下り傾斜する傾斜面とし、前面枠３が上方へ移動したときには、上方移動阻止部１０１の後端よりも適宜前側に当接領域１０１ｂが形成されるようにし、この当接領域１０１ｂよりも適宜後方位置が配線収容凹部１０２の前端位置となるように設定しておけば、配線収容凹部１０２を設けることで上方移動阻止部１０１の受圧強度が極端に低下することを防止できる。
【００４１】
また、配線処理部材９の取付構造も、上述した前面枠３の上側前壁部３４に設けた配線処理部材取付部３８ａ，３８ｂへ取り付ける構成例に限定されるものではなく、例えば、上枠部３１の上面３１ａに配線処理部材取付部を形成しておき、配線処理部材を上方から下方へ押圧するようにして配線８ａの抜け止めを行う構造としても良い。
【００４２】
或いは、図８に示す第２構成例の配線処理部材９′のように、衝撃を吸収可能な弾性部材により形成するとともに、操作部９１の前面側に高さおよび前後方向の幅を大きくした弾性基部９２′を設け、この弾性基部９２′の前側適所より上下部係止片９３，９４等が前方に延出する構造とすることで、閉止状態の前面枠３が上方に移動したときには、配線処理部材９′の弾性基部９２′の上面を機枠２の上辺部材２１の下面２１ａに当接させ、当接時の衝撃を和らげるようにしても良い。
【００４３】
なお、配線処理部材９′における弾性基部９２′上面の位置としては、上述した第１〜第７上方移動阻止部材１０ａ〜１０ｇの各上方移動阻止部１０１における当接領域１０１と同じ高さに設定しても良いし、本体枠２の上辺部材２１の下面２１ａにほぼ接するぐらいの高さに設定しても良いが、本構成例においては、弾性基部９２′上面の位置が、上方移動阻止部材の上方移動阻止部形成位置より高く、且つ、本体枠２の上辺部材２１下面２１ａよりも低くなるように設定した。
【００４４】
斯くすれば、遊技機１の出荷に際して、搬送用トラックに積載するために遊技機１を逆さにした場合など、本体枠２から前面枠３が抜け落ちそうになったとき、十分な強度を得るために比較的硬質の素材で形成される第１〜第７上方移動阻止部材１０ａ〜１０ｇの各上方移動阻止部１０１が本体枠２の上辺部材２１に押し当たる前に、先ず、弾性部材により形成した配線処理部材９′の弾性基部９２′が本体枠２の上辺部材２１に押し当たって衝撃を吸収するので、前面枠３に強い衝撃が作用して故障の原因となるような事態を効果的に回避できる。
【００４５】
以上本発明を実施形態に基づき具体的に説明したが、本明細書で開示された実施の形態は例示であって、開示された技術に限定されるものではないと考えるべきである。すなわち、本発明の技術的な範囲は、上記の実施形態における説明に基づいて制限的に解釈されるものではなく、あくまでも特許請求の範囲の記載に従って解釈すべきであり、特許請求の範囲の記載技術と均等な技術および特許請求の範囲内での全ての変更が含まれる。
【図面の簡単な説明】
【００４６】
【図１】本発明の一実施形態に係る遊技機の斜視図である。
【図２】前面枠と透明部材保持枠を開放した遊技機の斜視図である。
【図３】裏機構が装着された前面枠の上部裏面側斜視図である。
【図４】裏機構を取り外した前面枠の上部裏面側斜視図である。
【図５】配線処理部材の前面側斜視図である。
【図６】本体枠に閉止した状態における前面枠の上部背面図である。
【図７】（ａ）は図６におけるＡ−Ａ線の概略断面図である。（ｂ）は図６におけるＢ−Ｂ線の概略断面図である。（ｃ）は図６におけるＣ−Ｃ線の概略断面図である。
【図８】第２構成例に係る配線処理部材の説明図である。
【符号の説明】
【００４７】
１      遊技機
２      本体枠
２１    上辺部材
２１ａ  下面
２２    下辺部材
２３    左辺部材
２４    右辺部材
３      前面枠
３８ａ,３８ｂ  第１配線処理部材取付部
８      透明部材保持枠開放センサ
８ａ    配線
９      配線処理部材
９ａ    配線規制空部
１０      上方移動阻止部材
１０１    上方移動阻止部
１０２    配線収容凹部
【図１】
0004827606.tif 000002
【図２】
0004827606.tif 000003
【図３】
0004827606.tif 000004
【図４】
0004827606.tif 000005
【図５】
0004827606.tif 000006
【図６】
0004827606.tif 000007
【図７】
0004827606.tif 000008
【図８】
0004827606.tif 000009